(57)【要約】【課題】  発光する各画素の劣化を防止するとともに、特定の画像データが長時間表示された場合に生じる表示パネルの焼き付けを防止することのできるＰＤＰパネルの駆動制御装置を提供すること。【解決手段】  駆動制御装置は、アナログ画像信号をデジタル信号に変換するＡ／Ｄコンバータと、入力された差動信号をパラレル変換する差動／パラレル変換部と、ＰＤＰパネルの各ドライバを駆動するための表示信号を生成するとともに、入力された画像信号に対する反転された画像を表示させるための表示信号を生成する表示信号生成部と、フレームメモリと、操作部と、ＰＤＰパネルを駆動する際の各画素の累積発光回数または累積発光時間を検出するとともに、表示信号生成部における反転画像データの生成制御を行う制御部と、を備えている。【選択図】  図１
2005249943.tif 000002
【特許請求の範囲】
【請求項１】
異なる色に発光する複数のセルを有する画素が複数配設されて構成された表示パネルの駆動制御装置において、
前記表示パネルに表示させるための画像信号を取得する取得手段と、
前記取得された画像信号に基づいて前記表示パネルを駆動させる駆動信号を生成する駆動手段と、
を備え、
前記駆動手段が、予め定められたタイミングに、前記画素毎に、前記各セルの発光状態および発光の停止状態の反転、または、前記各セルの発光状態における階調の反転の少なくとも何れか一方の発光態様の反転を実行する前記駆動信号を生成することを特徴とする表示パネルの駆動制御装置。
【請求項２】
請求項１に記載の表示パネルの駆動制御装置において、
前記駆動手段が、前記異なる色毎に、前記画素の各セルにおける発光状態および発光の停止状態の反転、または、前記各セルの発光状態における階調の反転の少なくとも何れか一方の前記発光態様の反転を実行する前記駆動信号を生成することを特徴とする表示パネルの駆動制御装置。
【請求項３】
請求項２に記載の表示パネルの駆動制御装置において、
前記表示パネルの各画素がＲ（Red）Ｇ（Green）Ｂ（Blue）の三原色を発光する各セルから構成されている場合に、
前記駆動手段が、前記三原色の色毎に、前記発光態様の反転を実行する前記駆動信号を生成することを特徴とする表示パネルの駆動制御装置。
【請求項４】
請求項１に記載の表示パネルの駆動制御装置において、
前記駆動手段が、前記取得された画像信号から色差信号を抽出し、当該抽出された色差信号によって前記駆動信号を生成する場合に、
前記駆動手段が、前記色差信号毎に、前記画素の各セルにおける発光状態および発光の停止状態の反転、または、前記各セルの発光状態における階調の反転の少なくとも何れか一方の前記発光態様の反転を実行する前記駆動信号を生成することを特徴とする表示パネルの駆動制御装置。
【請求項５】
請求項１乃至４の何れか一項に記載の表示パネルの駆動制御装置において、
前記各画素毎の累積発光回数または累積発光時間の少なくとも何れか一方を検出する検出手段と、
前記予め定められた累積発光回数または累積発光時間に到達した前記タイミングに、前記駆動手段に対して前記各画素毎の発光態様の反転を実行する前記駆動信号を生成させる制御手段と、
を更に備えることを特徴とする表示パネルの駆動制御装置。
【請求項６】
請求項１乃至４の何れか一項に記載の表示パネルの駆動制御装置において、
前記各セルの発光態様の反転を指示する際に用いられる操作手段を更に備え、
前記駆動手段が、前記操作手段によって反転指示された前記タイミングに前記各画素毎の発光態様の反転を実行する前記駆動信号を生成することを特徴とする表示パネルの駆動制御装置。
【発明の詳細な説明】
【技術分野】
【０００１】
本願は、プラズマディスプレイパネルなどの表示装置の駆動制御に関する技術分野に属する。
【背景技術】
【０００２】
近年、表示装置の大型化に伴って薄型ものが要求され、各種の薄型表示デバイスが実用化されている。特に、最近では、ＣＲＴ（Cathode-Ray Tube）や液晶ディスプレイなどの他に、プラズマディスプレイパネル（以下、「ＰＤＰ（Plasma Display Panel）」という。）という自発光型のディスプレイも実用化され始めている。
【０００３】
従来、これらの自発光型のディスプレイを有する表示装置（以下、自発光型表示装置という。）では、各発光素子の長寿命化および消費電力の低減を図るため、表示されるべき画像データに対してフレーム毎に輝度低減処理を行い、当該輝度低減処理された画像データに基づいて表示パネルを駆動するようになっている（例えば、特許文献１を参照。）。
【特許文献１】特開２００２−１１６７３２号公報
【発明の開示】
【発明が解決しようとする課題】
【０００４】
しかしながら、このような自発光型表示装置にあっては、公共施設等の様々な場所において、特定の画像のみを表示する場合に、上述のように、各画素の輝度を低減したとしても、常時発光している画素が著しく劣化する。また、自発光型を含む表示装置にあっては、特定の画素が特定の時間表示されるために、残像が発生し、すなわち、特定の画像により表示パネルの焼き付けが発生し、画像データを鮮明に表示することができない。
【０００５】
本発明は、上記に鑑みて為されたもので、その課題の一例としては、発光する各画素の劣化を防止するとともに、特定の画像データが長時間表示された場合に生じる表示パネルの焼き付けを防止することのできる表示パネルの駆動制御装置を提供することにある。
【課題を解決するための手段】
【０００６】
上記の課題を解決するために、請求項１に記載の発明は、異なる色に発光する複数のセルを有する画素が複数配設されて構成された表示パネルの駆動制御装置において、前記表示パネルに表示させるための画像信号を取得する取得手段と、前記取得された画像信号に基づいて前記表示パネルを駆動させる駆動信号を生成する駆動手段と、を備え、前記駆動手段が、予め定められたタイミングに、前記画素毎に、前記各セルの発光状態および発光の停止状態の反転、または、前記各セルの発光状態における階調の反転の少なくとも何れか一方の発光態様の反転を実行する前記駆動信号を生成する構成を有している。
【発明を実施するための最良の形態】
【０００７】
次に、本発明に好適な実施の形態について、図面に基づいて説明する。
【０００８】
なお、以下に説明する各実施形態は、駆動制御装置および放電型の表示パネルを有するＰＤＰに対して本願の表示パネルの駆動制御装置を適用した場合の実施形態である。
【０００９】
まず、図１を用いて本実施形態におけるＰＤＰの構成について説明する。なお、図１は、本実施形態におけるＰＤＰの構成を示すブロック図である。
【００１０】
本実施形態におけるＰＤＰ１０は、図１に示すように、表示パネル（以下、ＰＤＰパネル１００という。）と、当該ＰＤＰパネル１００を駆動さセルＣＬための表示信号を生成する駆動制御装置２００と、を有し、入力された画像データに所定の処理を行い、入力された画像信号をＰＤＰパネル１００に表示するようになっている。
【００１１】
ＰＤＰパネル１００は、当該ＰＤＰパネル１００に対して垂直方向に並置された列電極Ｄ１〜Ｄｍと、当該ＰＤＰパネル１００に対して水平方向に並置された行電極Ｘ１〜Ｘｎおよび行電極Ｙ１〜Ｙｎと、列電極Ｄ１〜Ｄｍに電圧パルスを印可するアドレスドライバ１１０と、行電極Ｘ１〜Ｘｎまたは行電極Ｙ１〜Ｙｎに電圧パルスを印可する一対のサステインドライバ（以下、第１サステインドライバおよび第２サステインドライバという。）１２０および１３０と、を備え、列電極Ｄ１〜Ｄｍと行電極Ｘ１〜Ｘｎおよび行電極Ｙ１〜Ｙｎの交点に異なる色に発光する複数のセルＣＬを有する複数の画素ＰＥを有している。
【００１２】
アドレスドライバ１１０は、ＰＤＰパネル１００に対して垂直方向に並置された列電極Ｄ１〜Ｄｍに接続されているとともに、このアドレスドライバ１１０には、駆動制御装置２００から出力された表示信号が入力されるようになっている。
【００１３】
また、このアドレスドライバ１１０は、入力された表示信号に対応する電圧パルスであるデータパルスを生成するようになっており、当該生成されたデータパルスを列電極Ｄ１〜Ｄｍに印加するようになっている。
【００１４】
第１サステインドライバ１２０は、ＰＤＰパネル１００に対して水平方向に並置された行電極Ｘ１〜Ｘｎに接続されており、この第１サステインドライバ１２０には、駆動制御装置２００から出力された駆動信号が入力されるようになっている。
【００１５】
また、この第１サステインドライバ１２０は、入力された駆動信号に対応するサステインパルスを生成するようになっており、当該生成された電圧パルスであるサステインパルスを行電極Ｘ１〜Ｘｎに印加するようになっている。
【００１６】
第２サステインドライバ１３０は、ＰＤＰパネル１００に対して水平方向に並置されるとともに、行電極Ｘ１〜Ｘｎに並行に並置された行電極Ｙ１〜Ｙｎに接続されており、この第２サステインドライバ１３０は、駆動制御装置２００から出力された駆動信号が入力されるようになっている。
【００１７】
また、第２サステインドライバ１３０は、入力された駆動信号に対応するサステインパルスを生成するようになっており、当該生成されたサステインパルスを行電極Ｙ１〜Ｙｎに印加するようになっている。
【００１８】
一方、本実施形態における駆動制御装置２００は、図１に示すように、入力されたアナログ信号によって構成された画像信号（以下、アナログ画像信号という。）をデジタル信号に変換するＡ／Ｄ（Analog/Digital）コンバータと、入力された差動信号をパラレル変換する差動／パラレル変換部２２０と、ＰＤＰパネル１００の各ドライバ１１０、１２０および１３０を駆動するための表示信号を生成するとともに、予め定められたタイミングにＰＤＰパネル１００における各画素ＰＥの表示が反転するための表示信号を生成する表示信号生成部２３０と、フレームメモリ２４０と、操作部２５０と、ＰＤＰパネル１００を駆動する際の各画素ＰＥの累積発光回数または累積発光時間を検出するとともに、表示信号生成部２３０における反転表示を行うための表示信号の生成制御を行う駆動制御部２６０と、を備えている。
【００１９】
なお、例えば、本実施形態のＡ／Ｄコンバータ２１０および差動／パラレル変換部２２０は、本発明の取得手段を構成し、表示信号生成部２３０は、本発明の駆動手段を構成する。また、例えば、本実施形態の駆動制御部２６０は、本発明の検出手段および制御手段を構成し、操作部２５０は、本発明の操作手段を構成する。
【００２０】
Ａ／Ｄコンバータ２１０には、外部からアナログ信号によって構成された画像信号が入力されるようになっており、このＡ／Ｄコンバータ２１０は、駆動制御部２６０の制御の下、入力されたアナログ画像信号をデジタル信号によって構成された画像信号（以下、デジタル画像信号という。）に変換し、当該変換された画像信号を表示信号生成部２３０に出力するようになっている。
【００２１】
例えば、このＡ／Ｄコンバータ２１０は、入力されたアナログ画像信号を８ｂｉｔにデジタル化することによってデジタル画像信号を生成するようになっている。
【００２２】
差動／パラレル変換部２２０には、フォーマット、ＨＤＭＩ（High Definition Multimedia Interface）フォーマットなどの差動信号が入力されるようになっており、この差動／パラレル変換部２２０は、駆動制御部２６０の制御の下、入力された差動信号をパラレル変換し、変換されたデジタル画像信号を表示信号生成部２３０に出力するようになっている。
【００２３】
例えば、この差動／パラレル変換部２２０は、入力された差動信号をパラレル変換することによって、２８ｂｉｔのデジタル画像信号を生成するようになっている。
【００２４】
表示信号生成部２３０には、Ａ／Ｄコンバータ２１０から出力されたデジタル画像信号または差動／パラレル変換部２２０から出力されたデジタル画像信号が入力されるようになっており、この表示信号生成部２３０は、駆動制御部２６０の制御の下、入力されたデジタル画像信号に対して、予め定められたデジタル信号処理と、誤差拡散処理、階調化処理およびガンマ変換などの各駆動処理と、を行うとともに、各画素ＰＥ毎に後述する輝度信号と色差信号における反転処理、ＲＧＢ（Red/Green/Blue）信号の各信号の反転処理およびサブフィールド変換処理の各処理を行うことによって表示信号を生成し、当該生成された表示信号をフレームメモリ２４０に出力するようになっている。
【００２５】
なお、本実施形態における表示信号生成部２３０の構成およびその動作の詳細については、後述する。
【００２６】
フレームメモリ２４０には、表示信号生成部２３０から出力された表示信号が入力されるようになっており、このフレームメモリ２４０は、駆動制御部２６０の制御の下、入力された画像データ、すなわち、所定の画像処理がなされた画像データをＰＤＰパネル１００に供給するようになっている。具体的には、フレームメモリ２４０は、駆動制御部２６０から出力された同期信号に基づいて、表示信号生成部２３０から入力された表示信号を一時的に格納し、当該格納された表示信号を各ドライバに出力するようになっている。
【００２７】
操作部２５０は、各種確認ボタン、選択ボタン及び数字キー等の多数のキーを含むリモートコントロール装置またはキーボード等の入力装置により構成されるようになっており、特に、本実施形態では、各画素ＰＥ毎に後述する輝度信号と色差信号における反転処理、ＲＧＢ信号の各信号の反転処理の操作を行うようになっている。
【００２８】
駆動制御部２６０は、図示しない操作部２５０に入力された操作者の指示に基づいて、各部を制御するとともに、各画素ＰＥ毎の各セルＣＬにおける累積発光回数または累積発光時間を検出するようになっている。
【００２９】
また、この駆動制御部２６０は、各画素ＰＥの反転処理を実行する旨の操作者の指示が操作部２５０を介して入力された場合に、または、各画素ＰＥ毎の各セルＣＬが発光を開始してから予め設定された回数に到達または予め設定された時間経過したことを検出した場合に、表示信号生成部２３０を制御して入力された画像信号における輝度信号または各色差信号の反転処理およびＲＧＢ信号の各信号の反転処理を行うようになっている。
【００３０】
例えば、この駆動制御部２６０には、内部に発光回数をカウントするためのカウンタまたは発光時間を検出するためのタイマが設けられ、当該駆動制御部２６０は、カウンタまたはタイマによって累積発光回数または累積発光時間を検出するようになっている。
【００３１】
なお、駆動制御部２６０には、図示しない操作部２５０または製造時に発光開始から各反転処理を行うまでの回数または時間が設定されるようになっており、当該設定された値が予め内部に格納されている。
【００３２】
また、駆動制御部２６０は、各画素ＰＥの反転処理を行う場合に、各画素ＰＥ毎に後述する輝度信号における反転処理、色差信号における反転処理またはＲＧＢ信号の各信号の反転処理の何れか一方の反転処理を選択するようになっている。
【００３３】
次に、図２〜図６を用いて本実施形態における表示信号生成部の構成およびその動作について説明する。
【００３４】
なお、図２は、本実施形態における表示生成部の構成を示すブロック図であり、図３および図４は、本実施形態における輝度色差反転処理部の反転処理を説明するための図であり、入力された画像信号に対して反転処理された画像信号を表示するＰＤＰパネルの一例である。図５および図６は、本実施形態におけるＲＧＢ信号反転処理部の反転処理を説明するための図であり、入力された画像信号に対して反転処理された画像信号を表示するＰＤＰパネルの一例である。
【００３５】
表示信号生成部２３０は、図２に示すように、入力された信号に対してインターレース／プログレッシブ変換を行うインターレース／プログレッシブ変換部（以下、Ｉ／Ｐ変換部という。）２３１と、高画質化のためのデジタル信号処理を行うデジタル信号処理部２３２と、輝度信号および各色差信号に対して反転処理を行う輝度色差反転処理部２３３と、ＲＧＢに係る各信号の生成、ガンマ補正およびその他の駆動処理を行う駆動処理部２３４と、ＲＧＢに係る各信号に対して反転処理を行うＲＧＢ信号反転処理部２３５と、サブフィールド処理を行うサブフィールド変換部２３６と、から構成される。
【００３６】
Ｉ／Ｐ変換部２３１には、デジタル画像信号が入力されるようになっており、このＩ／Ｐ変換部２３１は、入力される際にインターレース走査を行うデジタル画像信号をプログレッシブ走査を行うデジタル信号に変換し、変換したデジタル信号をデジタル信号処理部２３２に出力するようになっている。
【００３７】
デジタル信号処理部２３２には、デジタル信号に変換されたデジタル画像信号が入力されるようになっており、このデジタル信号処理部２３２は、駆動制御部２６０の制御の下、入力された画像信号に対して、輝度信号と色信号の分離および高画質化のためのその他の信号処理を行い、当該信号処理された輝度信号および色差信号を輝度色差反転処理部２３３に出力するようになっている。
【００３８】
輝度色差反転処理部２３３には、所定の信号処理が為されたデジタル画像信号が入力されるようになっており、この輝度色差反転処理部２３３は、駆動制御部２６０の制御の下、輝度信号または各色差信号に対して反転処理を施し、当該反転処理が施された輝度信号または各色差信号を駆動処理部２３４に出力するようになっている。
【００３９】
具体的には、本実施形態の輝度色差反転処理部２３３は、駆動制御部２６０により輝度信号の反転が指示された場合には、入力された画像信号に基づいて、輝度信号によって表示される各画素ＰＥの各セルＣＬにおける輝度を反転するための画像データを生成するようになっている。
【００４０】
例えば、入力されたデジタル画像信号が、駆動制御部２６０により輝度信号の反転が指示された場合であって、図３（ａ）に示すような白、黒、および各色を有するカラーバーの画像を表示する画像信号（以下、カラーバー信号という。）が入力された場合には、本実施形態の輝度色差反転処理部２３３は、輝度信号を反転処理することにより、図３（ｂ）に示すような画像を表示するための画像信号を生成するようになっている。
【００４１】
なお、図３において、第１Gray〜第６Grayは、第１から順に輝度が暗くなるGrayを表している。
【００４２】
また、本実施形態の輝度色差反転処理部２３３は、駆動制御部２６０により各色差信号の反転が指示された場合には、入力された画像信号に基づいて、当該各色差信号によって表示される各画素ＰＥの各セルＣＬにおける色差を反転するための画像信号を生成するようになっている。
【００４３】
具体的には、本実施形態では、輝度色差反転処理部２３３は、駆動制御部２６０により各色差信号の反転が指示された場合には、各色信号の輝度を維持しつつ、ＲＧＢの各信号の反転、すなわち、中間調の反転を行うようになっている。
【００４４】
例えば、入力されたデジタル画像信号が、駆動制御部２６０によりＲに係る色差信号（以下、Ｒ−Ｙ信号という。）の反転が指示された場合であって、図３（ａ）に示すような白、黒、および各色を有するカラーバーの画像を表示するカラーバー信号が入力された場合には、本実施形態の輝度色差反転処理部２３３は、Ｒ−Ｙ信号を反転処理することにより、図４（ａ）に示すような画像を表示するカラーバー信号を生成するようになっている。
【００４５】
また、例えば、入力されたデジタル画像信号が、駆動制御部２６０によりＢに係る色差信号（以下、Ｂ−Ｙ信号という。）の反転が指示された場合であって、図３（ａ）に示すような白、黒、および各色を有するカラーバーの画像を表示するカラーバー信号が入力された場合には、本実施形態の輝度色差反転処理部２３３は、Ｂ−Ｙ信号を反転処理することにより、図４（ｂ）に示すような画像を表示するカラーバー信号を生成するようになっている。
【００４６】
なお、通常、Ｇに係る色差信号（以下、Ｇ−Ｙ信号という。）は、Ｒ−Ｙ信号およびＢ−Ｙ信号により生成するようになっているので、本実施形態では、輝度色差反転処理部２３３では、Ｇ−Ｙ信号の反転処理を行わず、駆動制御部２６０よりＧ−Ｙ信号の反転が指示された場合には、Ｒ−Ｙ信号およびＢ−Ｙ信号に基づいてＧ−Ｙ信号における画像を表示すると想定される各画素ＰＥの各セルＣＬの輝度を反転するための画像信号を生成するようになっている。
【００４７】
例えば、人間の目の感度の特性により、輝度信号と色信号は以下の式で表すことができるようになっている。
Ｙ    ＝  ０．３Ｒ＋０．５９Ｇ＋０．１１Ｂ
Ｒ−Ｙ＝  ０．７Ｒ−０．５９Ｇ−０．１１Ｂ
Ｂ−Ｙ＝−０．３Ｒ−０．５９Ｇ＋０．８９Ｂ              ・・・（式１）
【００４８】
一方、Ｇ−Ｙ信号は、（式１）によるＲ−Ｙ信号およびＢ−Ｙ信号から次の式のように算出することができるようになっている。
Ｇ−Ｙ＝０．５１（Ｒ−Ｙ）＋０．１９（Ｂ−Ｙ）
＝  ０．３５７Ｒ−０．３００９Ｇ−０．０５６１Ｂ
−０．０５７Ｒ−０．１１２１Ｇ＋０．１１６９Ｂ      ・・・（式２）
したがって、本実施形態においても、輝度色差反転処理部２３３は、内部において当該計算式を用いることによってＧ−Ｙ信号を算出するようになっている。
【００４９】
駆動処理部２３４には、輝度信号および色差信号の各デジタル画像信号が入力されるようになっている。
【００５０】
また、この駆動処理部２３４は、入力されたデジタル画像信号に対して、誤差拡散処理、各ディザ処理などの多階調化処理、およびガンマ補正を行うとともに、ＲＧＢに係る各色信号の生成を行うようになっており、輝度信号をサブフィールド変換部２３６に、および、ＲＧＢに係る各色信号をＲＧＢ信号反転処理部２３５に出力するようになっている。
【００５１】
ＲＧＢ信号反転処理部２３５には、ＲＧＢに係る各色信号が入力されるようになっており、このＲＧＢ信号反転処理部２３５は、駆動制御部２６０の制御の下、入力されたＲＧＢに係る各色信号に反転処理を施し、当該反転処理が施された各色信号をサブフィールド変換部２３６に出力するようになっている。
【００５２】
具体的には、本実施形態のＲＧＢ信号反転処理部２３５は、駆動制御部２６０により各ＲＧＢ信号の反転が指示された場合には、入力された各ＲＧＢ信号に基づいて、当該各ＲＧＢ信号よって表示される各画素ＰＥの各セルＣＬにおける輝度を反転する表示信号、または、各セルＣＬの発光および発光の停止を反転するための表示信号を生成するようになっている。
【００５３】
例えば、入力された画像信号が、駆動制御部２６０によりＲの色信号（以下、Ｒ信号という。）の反転が指示された場合であって、上述と同様に、図５（ａ）に示すような白、黒、および各色を有するカラーバーの画像を表示するカラーバー信号が入力された場合には、本実施形態のＲＧＢ信号反転処理部２３５は、図５（ｂ）に示すように、各画素ＰＥ毎にＲ信号における反転、すなわち、各画素ＰＥ毎にＲ信号の階調を反転する階調反転または各画素ＰＥ毎のＲに対応する発光セルＣＬの発光およびその発光の停止を切り換える色反転を行う表示信号を生成するようになっている。
【００５４】
また、例えば、入力されたＲＧＢ信号が、駆動制御部２６０によりＢの色信号（以下、Ｂ信号という。）の反転が指示された場合であって、上述と同様に、図５（ａ）に示すような白、黒、および各色を有するカラーバーの画像を表示するカラーバー信号が入力された場合には、本実施形態のＲＧＢ信号反転処理部２３５は、図６（ａ）に示すように、各画素ＰＥ毎にＢ信号における反転、すなわち、各画素ＰＥ毎にＢ信号の階調を反転する階調反転または各画素ＰＥ毎のＢに対応する発光セルＣＬの発光およびその発光の停止を切り換える色反転を行う画像を表示する表示信号を生成するようになっている。
【００５５】
さらに、例えば、入力された画像信号が、駆動制御部２６０によりＧの色信号（以下、Ｂ信号という。）の反転が指示された場合であって、上述と同様に、図５（ａ）に示すような白、黒、および各色を有するカラーバーの画像を表示するカラーバー信号が入力された場合には、本実施形態のＲＧＢ信号反転処理部２３５は、図６（ｂ）に示すように、各画素ＰＥ毎にＧ信号における反転、すなわち、各画素ＰＥ毎にＧ信号の階調を反転する階調反転または各画素ＰＥ毎のＢに対応する発光セルＣＬの発光およびその発光の停止を切り換える色反転を行う画像を表示する表示信号を生成するようになっている。
【００５６】
なお、ＲＧＢ信号反転処理部２３５は、階調反転を行う場合には、各信号の表示すべき階調度に基づいて各ＲＧＢ信号の階調反転を行うようになっている。例えば、階調度が８ビットにて表される場合であって、表示すべきＲ信号の階調度が７０の場合には、ＲＧＢ信号反転処理部２３５は、２５５−７０＝１８５の階調度を有するＲ信号を生成するようになっている。
【００５７】
なお、８ビットにおいて階調度を示す場合には、０〜２５５の２５６の階調を有することとなる。
【００５８】
また、図３と同様に、図５において第１Gray〜第６Grayは、第１から順に輝度が暗くなるGrayを表しているとともに、第２Red〜第４Redおよび第２Cyan〜第４Cyanは、RedまたはCyanの要素を含むGrayを表し、第２Redまたは第２Cyanの方が第３Redまたは第３Cyanよりも輝度が明るくなっていることを示す。
【００５９】
また、図６についても、図５と同様に、第２Yellow〜第４Yellow、第２Blue〜第４Blue、第２Magenta〜第４Magentaおよび第２Green〜第４Green、は、各要素を含むGrayを表し、第２Yellowの方が第３Yellowよりも輝度が明るくなっていることを示す。
【００６０】
サブフィールド変換部２３６には、ＲＧＢの各信号に対して反転処理が行われた画像信号が入力されるようになっており、このサブフィールド変換部２３６は、入力された画像信号に対してサブフィールド変換して表示信号を生成し、当該生成された表示信号をフレームメモリ２４０を介してＰＤＰパネル１００に出力するようになっている。
【００６１】
具体的には、このサブフィールド変換部２３６は、入力された画像信号におけるセルＣＬの一表示期間をｎ個のサブフィールドに分割し、各サブフィールド期間毎に、セルＣＬを初期化するリセット期間、セルＣＬを発光可能にする発光状態とセルＣＬの発光を停止にする発光停止状態とを選択的に設定するアドレス期間、および、発光状態に設定されたセルＣＬを継続的に発光さセルＣＬサステイン期間からなる一連の駆動工程を行うことによって階調表示が実現されるよう表示信号を生成するようになっている。
【００６２】
以上のように本実施形態によれば、ＰＤＰパネル１００に表示さセルＣＬための画像信号を取得するＡ／Ｄコンバータ２１０および差動／パラレル変換部２２０と、取得された画像信号に基づいて表示パネルを駆動さセルＣＬ表示信号生成部２３０と、を備え、表示信号生成部２３０が、予め定められたタイミングに、画素ＰＥ毎に、各セルＣＬの発光状態および発光の停止状態の反転、または、各セルＣＬの発光状態における階調の反転の少なくとも何れか一方の発光態様の反転を実行する表示信号を生成する構成を有している。
【００６３】
この構成により、本実施形態のＰＤＰ１０は、予め定められたタイミングに、画素ＰＥ毎に、各セルＣＬの発光状態および発光の停止状態の反転、または、各セルＣＬの発光状態における階調の反転の少なくとも何れか一方の発光態様の反転を実行する表示信号を生成する。
【００６４】
したがって、特定の公共施設等の様々な場所において、特定の画像のみを表示する場合に、予め定められたタイミングによって特定画像を反転させた画像をＰＤＰパネル１００に表示させることができるので、常時発光している各画素ＰＥのセルＣＬに対する劣化を防止することができるととともに、特定の画像を常時表示させることにより発生する残像に基づくＰＤＰパネル１００の焼き付けを防止することができる。
【００６５】
また、本実施形態のＰＤＰ１０は、表示信号生成部２３０が、ＲＧＢの各セルＣＬ毎に、発光態様の反転を実行する表示信号を生成する構成を有している。
【００６６】
この構成により、本実施形態のＰＤＰ１０は、ＲＧＢの各セルＣＬ毎に発光態様の反転を行うことができる。
【００６７】
また、表示駆動制御部２６０が、取得された画像信号から色差信号を抽出し、当該抽出された色差信号毎に、画素ＰＥの各セルＣＬにおける発光状態および発光の停止状態の反転、または、各セルＣＬの発光状態における階調の反転の少なくとも何れか一方の発光態様の反転を実行する表示信号を生成する構成を有している。
【００６８】
この構成により、本実施形態のＰＤＰ１０は、各色差信号に基づいてＲＧＢの各セルＣＬ毎に発光態様の反転を行うことができる。
【００６９】
また、各画素ＰＥ毎の累積発光回数または累積発光時間の少なくとも何れか一方を検出するとともに、予め定められた累積発光回数または累積発光時間に到達したタイミングに、駆動手段に対して各画素ＰＥ毎の発光態様の反転を実行する表示信号を生成させる駆動制御部２６０を更に備える構成を有している。
【００７０】
この構成により、本実施形態のＰＤＰ１０は、各画素ＰＥ毎の累積発光回数または累積発光時間の少なくとも何れか一方を検出するとともに、予め定められた累積発光回数または累積発光時間に到達したタイミングに、駆動手段に対して各画素ＰＥ毎の発光態様の反転を実行する。
【００７１】
通常、各セルＣＬは、累積発光回数または累積発光時間に比例して劣化するとともに、各色のセル毎に劣化するタイミングが異なるので、各色のセル毎に累積発光回数または累積発光時間を設定すれば、各画素において特定のセルが著しく劣化することを防止することができる。
【００７２】
また、各セルＣＬの発光態様の反転を指示する際に用いられる操作部２５０を更に備え、表示信号生成部２３０が、当該操作部２５０によって反転指示されたタイミングに各画素ＰＥ毎の発光態様の反転を実行する表示信号を生成する。
【００７３】
この構成により、本実施形態のＰＤＰ１０は、操作部２５０によって反転指示されたタイミングに各画素ＰＥ毎の発光態様の反転を実行することができるので、残像が発生した際に強制的に反転処理を行うことができる。
【００７４】
なお、本実施形態では、表示パネルとして放電型のＰＤＰ１０１０を用いて説明しているが、これに限らず、ＣＲＴまたは液晶型ディスプレイについても適用することが可能である。
【００７５】
また、本実施形態の駆動制御部２６０は、ＲＧＢ信号反転処理部２３５において各ＲＧＢ信号毎に反転処理の指示を行ってもよいし、ＲＧ、ＲＢまたはＧＢの組み合わせによって反転処理の指示を行っても良い。
【図面の簡単な説明】
【００７６】
【図１】本願に係る一実施形態におけるＰＤＰのシステム構成を示すブロック図である。
【図２】一の実施形態におけるＰＤＰの表示信号生成部の構成を示すブロック図である。
【図３】一実施形態における輝度色差反転処理部の反転処理を説明するための図（Ｉ）であり、入力された画像信号に対して反転処理された画像信号を表示するＰＤＰパネルの一例である。
【図４】一実施形態における輝度色差反転処理部の反転処理を説明するための図（II）であり、入力された画像信号に対して反転処理された画像信号を表示するＰＤＰパネルの一例である。
【図５】一実施形態におけるＲＧＢ信号反転処理部の反転処理を説明するための図（Ｉ）であり、入力された画像信号に対して反転処理された画像信号を表示するＰＤＰパネルの一例である。
【図６】一実施形態におけるＲＧＢ信号反転処理部の反転処理を説明するための図（II）であり、入力された画像信号に対して反転処理された画像信号を表示するＰＤＰパネルの一例である。
【符号の説明】
【００７７】
１０  …  ＰＤＰ
１００  …  ＰＤＰパネル
２００  …  駆動制御装置
２０１  …  Ａ／Ｄコンバータ
２０２  …  差動／パラレル変換部
２０３  …  表示信号生成部
２０４  …  操作手段
２０５  …  フレームメモリ
２０６  …  制御部
【図１】
2005249943.tif 000003
【図２】
2005249943.tif 000004
【図３】
2005249943.tif 000005
【図４】
2005249943.tif 000006
【図５】
2005249943.tif 000007
【図６】
2005249943.tif 000008